(57)【要約】【課題】  簡易に高度な時刻処理を行うことができる通信装置、通信端末装置、その制御方法、制御プログラム及びこの制御プログラムが記録された記録媒体を提供する。【解決手段】  通信装置１は、高精度の時刻情報を受信して、時刻情報Ｔ１と、その時刻に同期した時刻同期パルスＰｘとを出力するＧＰＳ信号処理部１０と、時刻同期パルスＰｘの出力タイミングと、通信端末装置２との通信同期タイミングとの時間差を、時刻補正情報Ｔ２として算出する演算処理部３２と、取得した時刻情報Ｔ１と時刻補正情報Ｔ２とを通信端末装置２に送信する無線通信部２０とを備える。一方、通信端末装置２は、通信装置１から送信された時刻情報Ｔ１と時刻補正情報Ｔ２とを受信した場合に、この受信情報に基づいて自装置２が計時する時刻を補正する時刻補正部を備えるようにした。【選択図】      図１
2005189185.tif 000002
【特許請求の範囲】
【請求項１】
外部の通信端末装置と近距離無線通信するための無線通信手段と、
外部からの高精度の時刻情報を受信して、前記時刻情報と、前記時刻情報で示される時刻に同期した時刻同期パルスとを出力する時刻情報受信手段と、
前記時刻同期パルスの出力タイミングと、前記通信端末装置との通信同期タイミングとの時間差を、前記通信端末装置用の時刻補正情報として算出する時刻補正情報算出手段と
を備えることを特徴とする通信装置。
【請求項２】
前記無線通信手段は、前記時刻補正情報と前記時刻情報とを前記通信端末装置に送信することを特徴とする請求項１に記載の通信装置。
【請求項３】
時刻を計時する時刻計時手段と、
前記時刻計時手段が計時する時刻を、前記時刻情報に基づいて補正する時刻補正手段と、
予め定めた放送を受信するための放送受信手段と、
前記放送受信手段を、前記時刻計時手段が計時する時刻に基づいて間欠受信動作させる受信制御手段とを備え、
前記無線通信手段は、前記放送受信手段が前記放送を受信した場合に、前記放送の受信機能を具備する通信端末装置に起動指示を送信することを特徴とする請求項１又は２に記載の通信装置。
【請求項４】
請求項２記載の通信装置と近距離無線通信し、前記時刻補正情報と前記時刻情報とを受信する端末側無線通信手段と、
時刻を計時する時刻計時手段と、
前記時刻補正情報と前記時刻情報とを受信した場合に、前記時刻補正情報と前記時刻情報とに基づいて、前記時刻計時手段が計時する時刻を補正する時刻補正手段と
を備えることを特徴とする通信端末装置。
【請求項５】
前記時刻補正手段は、前記通信装置との通信同期タイミングを基準に前記時刻補正情報と前記時刻情報とから得た時刻に、前記時刻計時手段の時刻を補正することを特徴とする請求項４に記載の通信端末装置。
【請求項６】
前記通信端末装置は、前記時刻計時手段で計時された時刻を表示する時刻表示手段を有する時計として構成されていることを特徴とする請求項４又は５に記載の通信端末装置。
【請求項７】
外部の通信端末装置と近距離無線通信する機能を具備する通信装置の制御方法において、
外部からの高精度の時刻情報を受信して、前記時刻情報と、前記時刻情報で示される時刻に同期した時刻同期パルスとを出力すると共に、外部の通信端末装置と通信同期を確立し、
前記時刻同期パルスの出力タイミングと、前記通信端末装置との通信同期タイミングとの時間差を、前記通信端末用の時刻補正情報として算出する
ことを特徴とする通信装置の制御方法。
【請求項８】
前記時刻補正情報と前記時刻情報とを前記通信端末装置に送信することを特徴とする請求項７に記載の通信装置の制御方法。
【請求項９】
時刻を計時する機能と、通信装置と近距離無線通信する機能とを具備する通信端末装置の制御方法において、
前記通信装置から送信された時刻補正情報と時刻情報とを受信し、前記時刻補正情報と前記時刻情報とに基づいて、自装置が計時する時刻を補正することを特徴とする通信端末装置の制御方法。
【請求項１０】
外部の通信端末装置と近距離無線通信する機能を具備する通信装置をコンピュータにより制御するための制御プログラムにおいて、
外部からの高精度の時刻情報を受信させて、前記時刻情報と、前記時刻情報で示される時刻に同期した時刻同期パルスとを出力させると共に、外部の通信端末装置と通信同期を確立させ、
前記時刻同期パルスの出力タイミングと、前記通信端末装置との通信同期タイミングとの時間差を、前記通信端末用の時刻補正情報として算出させる
ことを特徴とする制御プログラム。
【請求項１１】
前記時刻補正情報と前記時刻情報とを前記通信端末装置に送信させることを特徴とする請求項１０に記載の制御プログラム。
【請求項１２】
時刻を計時する機能と、通信装置と近距離無線通信する機能とを具備する通信端末装置をコンピュータにより制御するための制御プログラムにおいて、
前記通信装置から送信された時刻補正情報と時刻情報とを受信させ、受信した前記時刻補正情報と前記時刻情報とに基づいて、自装置が計時する時刻を補正させることを特徴とする制御プログラム。
【請求項１３】
前記請求項１０乃至１２のいずれかに記載の制御プログラムを記録したことを特徴とするコンピュータ読み取り可能な記録媒体。
【発明の詳細な説明】
【技術分野】
【０００１】
本発明は、無線通信機能を備えた通信装置、通信端末装置、その制御方法、制御プログラム及び記録媒体に関する。
【背景技術】
【０００２】
従来より、自装置が計時する時刻を、ＧＰＳ衛星からのＧＰＳ信号を受信してこの信号に含まれる時刻情報に基づいて補正する装置が知られている（例えば、特許文献１）。この特許文献１に記載の技術は、移動体通信システムにおける基地局間で時刻を合わせる技術に係り、各基地局がＧＰＳ受信装置を備えることが前提である。
【特許文献１】特開２００３−８７１８２号公報
【発明の開示】
【発明が解決しようとする課題】
【０００３】
しかしながら、通信ネットワークで接続される各機器の時刻を合わせる、といった高度な時刻処理を行おうとした場合に、全ての通信機器がＧＰＳ受信装置を持たなければならないとすると、構成が複雑になってしまう。
本発明は、上述した事情に鑑みてなされたものであり、簡易に高度な時刻処理を行うことができる通信装置、通信端末装置、その制御方法、制御プログラム及びこの制御プログラムが記録された記録媒体を提供することを目的としている。
【課題を解決するための手段】
【０００４】
上記課題を解決するため、本発明は、通信装置において、外部の通信端末装置と近距離無線通信するための無線通信手段と、外部からの高精度の時刻情報を受信して、前記時刻情報と、前記時刻情報で示される時刻に同期した時刻同期パルスとを出力する時刻情報受信手段と、前記時刻同期パルスの出力タイミングと、前記通信端末装置との通信同期タイミングとの時間差を、前記通信端末装置用の時刻補正情報として算出する時刻補正情報算出手段とを備えることを特徴とする。この構成によれば、通信端末装置と通信同期がとられた通信同期タイミングを基準にした時刻補正情報を算出することができる。
【０００５】
上記構成において、前記無線通信手段は、前記時刻補正情報と前記時刻情報とを前記通信端末装置に送信することが好ましい。また、上記構成において、時刻を計時する時刻計時手段と、前記時刻計時手段が計時する時刻を、前記時刻情報に基づいて補正する時刻補正手段と、予め定めた放送を受信するための放送受信手段と、前記放送受信手段を、前記時刻計時手段が計時する時刻に基づいて間欠受信動作させる受信制御手段とを備え、前記無線通信手段は、前記放送受信手段が前記放送を受信した場合に、前記放送の受信機能を具備する通信端末装置に起動指示を送信してもよい。
【０００６】
また、本発明は、通信端末装置において、上記通信装置と近距離無線通信し、前記時刻補正情報と前記時刻情報とを受信する端末側無線通信手段と、時刻を計時する時刻計時手段と、前記時刻補正情報と前記時刻情報とを受信した場合に、前記時刻補正情報と前記時刻情報とに基づいて、前記時刻計時手段が計時する時刻を補正する時刻補正手段とを備えることを特徴とする。この構成によれば、通信装置から送信された時刻補正情報と時刻情報とに基づいて自装置が計時する時刻を補正することができる。上記構成において、前記時刻補正手段は、前記通信装置との通信同期タイミングを基準に前記時刻補正情報と前記時刻情報とから得た時刻に、前記時刻計時手段の時刻を補正することが好ましい。また、前記通信端末装置は、前記時刻計時手段で計時された時刻を表示する時刻表示手段を有する時計として構成してもよい。
【０００７】
また、本発明は、外部の通信端末装置と近距離無線通信する機能を具備する通信装置の制御方法において、外部からの高精度の時刻情報を受信して、前記時刻情報と、前記時刻情報で示される時刻に同期した時刻同期パルスとを出力すると共に、外部の通信端末装置と通信同期を確立し、前記時刻同期パルスの出力タイミングと、前記通信端末装置との通信同期タイミングとの時間差を、前記通信端末用の時刻補正情報として算出することを特徴とする。この構成において、前記時刻補正情報と前記時刻情報とを前記通信端末装置に送信することが好ましい。
【０００８】
また、本発明は、時刻を計時する機能と、通信装置と近距離無線通信する機能とを具備する通信端末装置の制御方法において、前記通信装置から送信された時刻補正情報と時刻情報とを受信し、前記時刻補正情報と前記時刻情報とに基づいて、自装置が計時する時刻を補正することを特徴とする。また、本発明は、以上説明した通信装置、通信端末装置及びその制御方法に適用する他、この発明を実施するための制御プログラムを電気通信回線を介して一般ユーザに配布したり、そのようなプログラムを、ＣＤ−ＲＯＭや、フロッピー（登録商標）ディスクや光記録ディスクといった、コンピュータに読み取り可能な記録媒体に格納して一般ユーザに配布する、といった態様でも実施され得る。
【発明の効果】
【０００９】
本発明は、通信端末装置と無線通信を行う通信装置が、高精度な時刻に同期した時刻同期パルスの出力タイミングと、通信端末装置との通信同期タイミングとの時間差を通信端末装置用の時刻補性情報として算出することにより、通信端末装置側では、この通信端末との通信同期タイミングを基準にして、上記時刻補正情報及び時刻情報から自装置の時刻を高精度に補正することができる。
【発明を実施するための最良の形態】
【００１０】
以下、図面を参照して本発明の実施形態について説明する。図１は、本発明の実施形態に係る通信装置１の機能的構成を示す図である。この通信装置１は、住宅の屋根などの屋外などに設置され、住宅内並びに住宅の近傍に配置された一又は複数の通信端末装置の時刻を高精度にするための装置であり、近距離無線通信を行う機能や、図示せぬＧＰＳ（Global Positioning System）衛星からのＧＰＳ信号を受信する機能などを具備している。
【００１１】
より具体的には、図１に示すように、この通信装置１において、ＧＰＳ信号処理部（時刻情報受信手段）１０は、ＧＰＳアンテナ１１を介して受信したＧＰＳ信号から、この通信装置１の位置情報（経度、緯度）と、時刻情報（現在時刻）Ｔ１とを演算により取得すると共に、この時刻（秒）に同期した１秒毎のパルス（１ＰＰＳ：以下、時刻同期パルスＰｘという。）を生成して出力する。ここで、周知の通り、ＧＰＳ衛星は原子時計を内蔵しており、ＵＴＣ（Coordinated Universal Time：世界協定時）に同期して計時している上記時刻の情報をＧＰＳ信号に含めている。本実施形態では、ＧＰＳ信号に含まれる標準時刻情報と、現在地の時差とから現地時刻を演算すると共に、この時刻に同期した時刻同期パルスを出力することにより、高精度な時刻情報Ｔ１と時刻同期パルスＰｘとを取得することができる。
【００１２】
無線通信部２０は、例えば、Bluetooth（登録商標）や無線ＬＡＮ（Local Area Network）等により、数十メートル程度の通信サービスエリアを周囲に形成し、この通信サービスエリア内の通信端末装置２と近距離無線通信を行うためのものである。この無線通信部２０は、専用アンテナ２１を介して受信したアナログ受信信号をデジタル信号に変換するためのＲＦ部やベースバンド部の他、通信用クロックｆ１を生成する通信用クロック生成部２２や、通信先の通信端末装置２とデータの送受信タイミングの同期（フレーム同期）をとるための通信用同期クロックｆ２を生成する通信用同期クロック生成部２３などを備えている。なお、図１の例では、説明の便宜上、通信用クロック生成部２２及び通信用同期クロック生成部２３を無線通信部２０とは異なる位置に示している。
【００１３】
制御部３０は、この通信装置１を制御するコンピュータとして機能し、ＣＰＵ（Central Processing Unit）、ＲＯＭ（Read Only Memory）及びＲＡＭ（Random Access Memory）や論理回路から構成される。本実施形態では、制御部３０は、ＧＰＳ信号処理部１０により取得された時刻情報Ｔ１や各種制御プログラムなどを記憶する記憶部３１と、この記憶部３１に記憶された制御プログラムを実行することによって、ＧＰＳ信号処理部１０から出力される時刻同期パルスＰｘの出力タイミングと、通信同期された通信端末装置２とのフレーム同期タイミングとの時間差を時刻補正情報Ｔ２として演算する演算処理部３２として機能する。
【００１４】
この記憶部３１には、その他に、自装置１と近距離無線通信する相手側の通信端末装置２の端末識別情報（端末ＩＤ）などが記憶される。すなわち、この通信装置１は、記憶部３１に記憶された識別情報に対応する通信端末装置２とのみ通信する。この通信端末装置２は、時刻計時機能に加え、Bluetooth通信機能や無線ＬＡＮ通信機能を具備する様々な装置、例えば、時計（クロック又はウォッチ）、ビデオレコーダやテレビやラジオなどのオーディオビジュアル装置、洗濯機や炊飯器などの家電装置、自動車、自動車の車内に存在するカーナビゲーション装置などの車載装置、携帯電話機、ＰＤＡ（Personal Digital Assistants）、ＰＣ（Personal Computer）である。
【００１５】
太陽光発電部４０は、この通信装置１に設けられた太陽光発電パネル（図示せず）にて光電変換されて生成された電力を自装置１の各部に供給するものである。また、蓄電部４１は、太陽光発電部４０にて生成された電力を蓄電するものであり、夜間などには、昼間に蓄電部４１に蓄電された電力が自装置１の各部に供給される。ここで、太陽光発電パネルは、自装置１の各部を動作させるのに十分な電力を生成できる程度の面積を有している。従って、この通信装置１は、外部からの電力供給が不要な構成となっているため、ユーザは、太陽光や電力を生成するに十分強い光が照射する場所であれば、電源の確保を意識せずに任意の場所に通信装置１を設置することができる。
【００１６】
図２は、通信端末装置２の機能的構成の一例を示す図である。なお、図２は、この通信端末装置２を、置時計又は腕時計などの時計として構成した場合を示している。この通信端末装置２は、時計として機能するための、時刻を計時する計時部５０と、計時された時刻を表示する時刻表示部５１とを備え、さらに、通信装置１と近距離無線通信を行うための無線通信部６０と、時刻補正部７０とを備えている。ここで、無線通信部６０は、Bluetoothや無線ＬＡＮなどにより通信装置１と無線通信するためのものであり、通信装置１の無線通信部２０と略同様の構成を具備する。すなわち、無線通信部６０は、専用アンテナ６１を介して受信したアナログ受信信号をデジタル信号に変換するためのＲＦ部やベースバンド部の他、通信用クロックｆ１を生成する通信用クロック生成部６２や、通信先の通信端末装置２とデータの送受信タイミングの同期（フレーム同期など）をとるための通信用同期クロックｆ２を生成する通信用同期クロック生成部６３などを備えている。
【００１７】
時刻補正部７０は、論理回路などから構成され、通信装置１の演算処理部３２で演算された時刻補正情報Ｔ２に基づいて計時部２が計時する時刻を補正するものである。なお、時計装置以外の通信端末装置２についても、上述した通信端末装置２のうち、少なくとも、計時部５０と、無線通信部６０と、時刻補正部７０（通信用クロック生成部６２及び通信用同期クロック生成部６３を含む）とを備えており、これ以外に、この通信端末装置２に特有の構成、例えば、ビデオレコーダの場合は、ＴＶ放送を受信して映像を録音するための構成を具備し、テレビの場合は、ＴＶ放送を表示するための機能を具備している。
【００１８】
次に、この通信装置１により通信端末装置２の時刻を高精度に補正する場合の動作を説明する。図３は、通信装置１の動作を示すフローチャートであり、以下、この図を参照しつつ動作を説明する。まず、通信装置１においては、ＧＰＳ信号処理部１０によりＧＰＳ信号を受信して高精度の時刻情報Ｔ１を取得すると共に、無線通信部２０により相手先の通信端末装置２と通信同期を確立する処理を実行する（ステップＳ１）。なお、時刻情報Ｔ１をＧＰＳ衛星から取得する処理と通信同期確立処理とには、優先順位はなく、いずれを先に行っても良く、また、この通信装置１が並列処理（いわゆるマルチタスク処理）を実行可能なものであれば、並列的に実行してもよい。
【００１９】
ここで、相手先の通信端末装置２と同期を確立する処理は、通信装置１の通信用同期クロックｆ２と、通信端末装置２の通信用同期クロックｆ２との同期をとる処理を含む。例えば、Bluetoothの場合は、Bluetoothの規格に従った方式、つまり、ピコネット内同期を図るために、スレーブ（通信端末装置２）がマスタ（通信装置１）のBluetoothクロック（例えば、通信装置１の通信用同期クロックｆ２）を参照することによってマスタと同期するように一定のオフセット値（クロックオフセット）を自分のクロック（通信用クロックｆ１）に与え、マスタとスレーブがそれぞれの時間スロットに共通のスロット番号付けをつける処理が適用される。これにより、通信装置１の通信用同期クロックｆ２と、通信端末装置２の通信用同期クロックｆ２との同期がとられ、さらに、この通信用同期クロックｆ２を基準にしてフレーム同期タイミングが決定される。また、ＧＰＳ信号処理部１０は、取得した時刻情報Ｔ１と、この時刻情報Ｔ１に同期した高精度な時刻同期パルスＰｘを制御部３０に出力し、制御部３０は、この時刻情報Ｔ１を記憶部３１に記憶しておく。
【００２０】
次に、通信装置１においては、演算処理部３２が、ＧＰＳ信号処理部１０から出力される時刻同期パルスＰｘの出力タイミングと、通信用同期クロックｆ２を基準に決定されたフレーム同期タイミングとの時間差を時刻補正情報Ｔ２として演算する（ステップＳ２）。より具体的には、図４に示すように、演算処理部３２は、時刻同期パルスＰｘが来たタイミングで通信用クロックｆ１のクロックのカウントを開始し、通信用同期クロック生成部２３から通知されるフレーム同期タイミングでカウントを終了することによって、上述した時間差に相当するカウント値を算出し、時刻補正情報Ｔ２として図示せぬレジスタに格納する。次いで、通信装置１は、制御部３０の制御の下、このレジスタに格納された時刻補正情報Ｔ２と、記憶部３１に記憶された時刻情報Ｔ１とを無線通信部２０により通信端末装置２に送信する（ステップＳ３）。
【００２１】
一方、通信端末装置２においては、時刻補正情報Ｔ２と時刻情報Ｔ１とを受信すると、自装置２で計時される時刻を補正する時刻補正処理を行う。具体的には、時刻補正部７０は、通信用同期クロック生成部６３から通知されるフレーム同期タイミングを基点として図示せぬクロックカウンタを動作させ、時刻が必要なタイミング、例えば、時刻表示部５１が時刻を更新するタイミングでクロックカウンタの値を取得する。次いで、時刻補正部７０は、この値（通信端末装置２で計時される時刻）と、受信した時刻補正情報Ｔ２と時刻情報Ｔ１とから得た該タイミング時の時刻の値とから時刻の誤差を算出し、この誤差を計時部５０に送ることにより、現在時刻を補正する。すなわち、通信装置１との通信同期タイミングの一つであるフレーム同期タイミングを基準にして、時刻補正情報Ｔ２と時刻情報Ｔ１とから得た時刻に、自装置２で計時される時刻を補正する。
【００２２】
これにより、通信端末装置２の計時部５０で計時される時刻を、標準時刻に同期した高精度な時刻にすることができる。また、複数の通信端末装置２がある場合に、各通信端末装置２のフレーム同期タイミングに基づいて時刻補正情報Ｔ２を算出して各通信端末装置２に送信することにより、複数の通信端末装置２の時刻を高精度に補正でき、複数の通信端末装置２の時刻を正確に同期させることもできる。
【００２３】
以上説明したように、本実施形態によれば、通信装置１が、ＧＰＳ信号から取得した高精度の時刻情報Ｔ１と共に、この時刻に同期した時刻同期パルスＰｘの出力タイミングと、相手先の通信端末装置とのフレーム同期タイミングとの時間差を時刻補正情報Ｔ２として通信端末装置２に送信し、通信端末装置２が、受信した時刻情報Ｔ１及び時刻補正情報Ｔ２に基づいて、自装置２で計時される時刻の誤差を補正するので、通信端末装置２にＧＰＳ受信装置を配置しなくても、通信端末装置２で計時される時刻を高精度にすることができる。これにより、全ての通信端末装置２にＧＰＳ受信装置を配置する必要がある従来の構成に比して、簡易な構成で通信端末装置２の時刻を高精度にすることができる。
【００２４】
また、本実施形態の通信装置１があれば、通信端末装置２は上述した時刻補正処理を行うだけでよいので、既存のBluetoothや無線ＬＡＮなどの通信機能を備えたコンピュータなどの様々な機器に、上記時刻補正処理の機能をアドオンするだけで既存の機器の時刻を簡易に高精度化することができる。
【００２５】
上述した通信装置１を用いた応用例としては、次のようなものがある。例えば、地上デジタル放送には、各地域毎に異なる緊急放送チャンネルが割り当てられている。ところが、地上デジタル放送用の受信装置は、電力消費量が比較的大きいため、緊急放送を常時受信できるように常時駆動しておくことは消費電力低減の観点から好ましくない。そこで、通信端末装置２として、地上デジタル放送の受信装置を内蔵したテレビを想定した場合、通信装置１が地上デジタル放送の少なくとも緊急放送チャンネルを受信する機能を具備するようにし、緊急放送を受信した場合に、該緊急放送を受信可能な通信端末装置２に起動指示を与えて該通信端末装置２が待機状態から起動させるようにしてもよい。
【００２６】
より具体的には、図５に示すように、通信装置１に、地上デジタル放送の少なくとも緊急放送チャンネルを受信可能な放送受信装置（放送受信手段）１００を内蔵させ、この放送受信装置１００を太陽光発電の電力で常時駆動して、緊急放送が受信されたか否かを判断する。そして、緊急放送を受信した場合、制御部３０の制御の下、無線通信部により、予め設定された通信端末装置２（地上デジタル放送受信装置を具備する装置）に起動指示の情報を送信する。これにより、通信端末装置２が待機状態にあり、地上デジタルを受信していない場合でも、この通信端末装置２にて緊急放送を確実に受信させることが可能となる。
【００２７】
ここで、緊急放送は予め決められた時間に放送することが規定されている。このため、通信装置１は、制御部３０により自装置１が計時する時刻に基づいて上記放送受信装置１００を間欠受信動作させ、緊急放送が放送される時間帯だけ上記放送受信装置１００を駆動することが好ましい。この構成によれば、太陽光発電の電力で駆動する通信装置１の電力消費を低減することができる。さらに、この放送受信装置１００には、制御部３０の制御の下、ＧＰＳ信号処理部１０によって取得した位置情報から当該地区の緊急放送の受信チャンネルを自動設定する機能を持たせておくことが好ましい。これにより、ＧＰＳ信号処理部１０が得た位置情報を有効利用することができる。なお、地上デジタル放送に限らず、地上アナログ放送等の他の放送（ＴＶ、ラジオを含む）でもよいことは勿論である。
【００２８】
また例えば、通信端末装置２としてビデオレコーダやテレビやラジオなどのＴＶ機能やラジオ機能を有するオーディオビジュアル機器を想定した場合、各通信端末装置２に位置情報から受信チャンネルを設定する機能を設け、通信装置１が、ＧＰＳ信号処理部１０により取得した位置情報を通信端末装置２に送信するようにして、各通信端末装置２が受信した位置情報から受信チャンネルを設定するようにしてもよい。この構成によれば、各通信端末装置２に、位置情報を取得するためのＧＰＳ受信装置を配置する必要がないため、各通信端末装置２に上記の受信チャンネル設定を行う機能を実現するプログラムを追加するだけで、受信チャンネルの自動設定が可能となる。
【００２９】
また、上述した通信装置１に、時刻を計時する計時部を設け、この計時部が計時する時刻を、ＧＰＳ信号処理部１０により取得した時刻情報Ｔ１に基づいて補正するようにしてもよい。この場合、例えば、通信端末装置２として洗濯機や炊飯器などの家電装置を想定した場合に、通信装置１が各通信端末装置２のタイマー時刻（選択開始や炊飯開始の時刻）の情報を保持し、そのタイマー時刻になったタイミングで、通信端末装置２の電源をオンして所定の動作を開始させるようにしてもよい。この構成によれば、通信端末装置２にタイマー時刻を設定する必要がなくなり、この結果、ＡＣ電源により駆動する上記通信端末装置２にタイマー時刻を設定した場合は、停電によりタイマー時刻の設定情報が消えてしまい、タイマーが無効となってしまう場合があるが、太陽光発電により駆動する通信装置１は停電の影響を受けないので、一時的な停電が発生しても、各通信端末装置２を予め設定したタイマー時刻に確実に起動し、所定の動作をさせることが可能となる。
【００３０】
また例えば、通信端末装置２として自動車や自動シャッターを備えた車庫を想定した場合に、通信端末装置（自動車）２で計時される時刻を高精度に補正させる上記の態様に加え、通信装置１は、通信端末装置２と受信可能となったことで通信端末装置（自動車）２が近くに来たことを検出できるため、かかる場合に、通信端末装置（車庫）２のシャッターの開指示を与えてシャッターを開けることも可能である。
【００３１】
また、上述の実施形態では、通信端末装置２の時刻補正部７０を論理回路などで構成する場合について説明したが、通信端末装置２に、この通信端末装置２を制御するコンピュータを内蔵させ、このコンピュータのＣＰＵがＲＯＭなどの記録部に記憶された制御プログラムを実行して上記時刻補正部７０として機能するようにしてもよい。
【００３２】
また、上述した実施形態では、通信装置１が時刻情報Ｔ１と時刻補正情報Ｔ２とを取得して通信端末装置２に送信するための制御プログラムや、通信端末装置２が自装置の時刻を補正するための制御プログラムを各装置内の記憶部に予め格納しておく場合を説明したが、この制御プログラムを、磁気記録媒体、光記録媒体、半導体記録媒体などのコンピュータが読み取り可能な記録媒体に格納し、コンピュータが記録媒体からこの制御プログラムを読み取って実行するようにしてもよい。また、この制御プログラムを通信ネットワーク上の配信サーバなどからダウンロードできるようにしてもよい。
【図面の簡単な説明】
【００３３】
【図１】本発明の実施形態に係る通信装置の機能的構成を示す図である。
【図２】通信端末装置の機能的構成の一例を示す図である。
【図３】通信装置の動作を示すフローチャートである。
【図４】通信装置の動作の説明に供するタイミングチャートである。
【図５】通信装置の変形例を説明するための図である。
【符号の説明】
【００３４】
１…通信装置、２…通信端末装置、１０…ＧＰＳ信号処理部、２０、６０…無線通信部、２２、６２…通信用クロック生成部、２３、６３…通信用同期クロック生成部、３０…制御部、３１…記憶部、３２…演算処理部、４０…太陽光発電部、４１…蓄電部、５０…計時部、５１…時刻表示部、７０…時刻補正部。
【図１】
2005189185.tif 000003
【図２】
2005189185.tif 000004
【図３】
2005189185.tif 000005
【図４】
2005189185.tif 000006
【図５】
2005189185.tif 000007